(57)【要約】【課題】液晶表示パネルの多重gamma駆動方法の提供。【解決手段】液晶表示パネルの多重gamma駆動方法主に以下のステップを含む。(1)画面周波数をp/q倍に昇級し、一連の出力画面を生じる。(2)該一連の出力画面をグレースケール値の対応により転換し、該対応転換は異なる出力画面に応じて異なるgamma値を提供する。(3)適当な走査方式により、該グレースケール値対応転換処理を経過した該一連の出力画面を、適当なgamma校正曲線に基づき、画素転換後のグレースケール値を対応する加圧電圧に転換し、液晶パネルに走査出力する。本発明は２種のグレースケール値対応曲線により画面周波数昇級後の該一連の出力画面に交替で使用し、しかも相互に隣接する２つの出力画面のグレースケール値曲線は同一或いは非同一である。【選択図】図７
2008139591.tif 000002
【特許請求の範囲】
【請求項１】
一種の液晶表示パネルの多重gamma駆動方法は主に以下のステップを含み、
ある一連の入力画面周波数をp/q倍(p、qは自然数で、かつp>ｑ)に昇級し、一連の出力画面を生じ、
該一連の出力画面の画素グレースケール値を対応転換処理し、
適当な走査方式により、該グレースケール値対応転換処理を経過した該一連の出力画面を、適当なgamma校正曲線に基づき、画素転換後のグレースケール値を対応する加圧電圧に転換し、液晶パネルに走査出力し、
該グレースケール値対応転換処理は第１gammaグレースケール値対応曲線と第２gammaグレースケール値対応曲線で、適当な方式により交替し画面周波数昇級後の該一連の出力画面に使用することを特徴とする液晶表示パネルの多重gamma駆動方法。
【請求項２】
請求項１記載の液晶表示パネルの多重gamma駆動方法において、前記第１、第２gammaグレースケール値対応曲線の少なくとも一つは調整可能であることを特徴とする液晶表示パネルの多重gamma駆動方法。
【請求項３】
請求項１記載の液晶表示パネルの多重gamma駆動方法において、前記gamma校正曲線は調整可能であることを特徴とする液晶表示パネルの多重gamma駆動方法。
【請求項４】
請求項１記載の液晶表示パネルの多重gamma駆動方法において、前記適当交替方式は画面周波数昇級後の該一連の出力画面中、任意の相互に隣接する２つの出力画面に対して、内一つ画面のすべての画素は該gammaグレースケール値対応曲線を使用し処理し、別画面のすべての画素は該第２gammaグレースケール値対応曲線を使用し処理することを特徴とする液晶表示パネルの多重gamma駆動方法。
【請求項５】
請求項１記載の液晶表示パネルの多重gamma駆動方法において、前記適当交替方式は画面周波数昇級後の該一連の出力画面に対して、該第１、第２gammaグレースケール値対応曲線のある一つの処理により少なくとも連続で画面を出力後、別のグレースケール値対応曲線に替え処理後に少なくとも連続で画面を出力することを特徴とする液晶表示パネルの多重gamma駆動方法。
【請求項６】
請求項１記載の液晶表示パネルの多重gamma駆動方法において、前記適当交替方式は画面周波数昇級後の該一連の出力画面中、任意の相互に隣接する２つの出力画面に対して、一つ前の出力画面のある画素の画面データは該第１、第２gammaグレースケール値対応曲線の一つにより処理され、
次の一つの出力画面の該画素の画面データは別のgammaグレースケール値対応曲線により処理されることを特徴とする液晶表示パネルの多重gamma駆動方法。
【請求項７】
請求項１記載の液晶表示パネルの多重gamma駆動方法において、前記適当交替方式は画面を少なくとも水平に第一区と第二区に区画し、
画面周波数昇級後の該一連の出力画面中、任意の相互に隣接する２つの出力画面に対して、一つ前の出力画面の該第一区と次の出力画面の該第二区は、適当な画面データを該第１、第２gammaグレースケール値対応曲線の一つにより処理し生じ、
一つ前の出力画面の該第２区と次の出力画面の該第２区は適当な画面データを別のグレースケール値対応曲線により処理し生じることを特徴とする液晶表示パネルの多重gamma駆動方法。
【請求項８】
請求項４或いは請求項５或いは請求項６或いは請求項７記載の液晶表示パネルの多重gamma駆動方法において、前記走査方式は一つ前の出力画面が完全に走査出力された後、次の出力画面を完全に走査出力することを特徴とする液晶表示パネルの多重gamma駆動方法。
【請求項９】
一種の液晶表示パネルの多重gamma駆動方法は主に以下のステップを含み、
ある一連の入力画面周波数をp/q倍(p、qは自然数で、かつp>ｑ)に昇級し、一連の出力画面を生じ、
該一連の出力画面中のどれが静態画面でどれが動態画面であるかを判断し、
該判断結果に基づき、該一連の出力画面の画素グレースケール値を対応転換処理に提供し、
適当な走査方式により、該グレースケール値対応転換処理を経過した該一連の出力画面を、適当なgamma校正曲線に基づき、画素転換後のグレースケール値を対応する加圧電圧に転換し、液晶パネルに走査出力し、
該グレースケール値対応転換処理は第１gammaグレースケール値対応曲線と第２gammaグレースケール値対応曲線で、適当な方式により交替し画面周波数昇級後の該一連の出力画面に使用し、もし出力画面が静態であるなら、該第１gammaグレースケール値対応曲線と該第２gammaグレースケール値対応曲線は同一の曲線を採用することを特徴とする液晶表示パネルの多重gamma駆動方法。
【請求項１０】
請求項９記載の液晶表示パネルの多重gamma駆動方法において、前記第１、第２gammaグレースケール値対応曲線の内、少なくとも一つは調整可能であることを特徴とする液晶表示パネルの多重gamma駆動方法。
【請求項１１】
請求項９記載の液晶表示パネルの多重gamma駆動方法において、前記gamma校正曲線は調整可能であることを特徴とする液晶表示パネルの多重gamma駆動方法。
【請求項１２】
請求項９記載の液晶表示パネルの多重gamma駆動方法において、前記適当交替方式は画面周波数昇級後の該一連の出力画面中、任意の相互に隣接する２つの出力画面に対して、内一つ画面のすべての画素は該gammaグレースケール値対応曲線を使用し処理し、別画面のすべての画素は該第２gammaグレースケール値対応曲線を使用し処理することを特徴とする液晶表示パネルの多重gamma駆動方法。
【請求項１３】
請求項９記載の液晶表示パネルの多重gamma駆動方法において、前記適当交替方式は画面周波数昇級後の該一連の出力画面に対して、該第１、第２gammaグレースケール値対応曲線のある一つの処理により少なくとも連続で画面を出力後、別のグレースケール値対応曲線に替え処理後に少なくとも連続で画面を出力することを特徴とする液晶表示パネルの多重gamma駆動方法。
【請求項１４】
請求項９記載の液晶表示パネルの多重gamma駆動方法において、前記適当交替方式は画面周波数昇級後の該一連の出力画面中、任意の相互に隣接する２つの出力画面に対して、一つ前の出力画面のある画素の画面データは該第１、第２gammaグレースケール値対応曲線の一つにより処理され、
次の一つの出力画面の該画素の画面データは別のgammaグレースケール値対応曲線により処理されることを特徴とする液晶表示パネルの多重gamma駆動方法。
【請求項１５】
請求項９記載の液晶表示パネルの多重gamma駆動方法において、前記適当交替方式は画面を少なくとも水平に第一区と第二区に区画し、
画面周波数昇級後の該一連の出力画面中、任意の相互に隣接する２つの出力画面に対して、一つ前の出力画面の該第一区と次の出力画面の該第二区は、適当な画面データを該第１、第２gammaグレースケール値対応曲線の一つにより処理し生じ、
一つ前の出力画面の該第２区と次の出力画面の該第２区は適当な画面データを別のグレースケール値対応曲線により処理し生じることを特徴とする液晶表示パネルの多重gamma駆動方法。
【請求項１６】
請求項１２或いは請求項１３或いは請求項１４或いは請求項１５記載の液晶表示パネルの多重gamma駆動方法において、前記走査方式は一つ前の出力画面が完全に走査出力された後、次の出力画面を完全に走査出力することを特徴とする液晶表示パネルの多重gamma駆動方法。
【発明の詳細な説明】
【技術分野】
【０００１】
本発明は一種の液晶表示パネルの多重gamma駆動方法に関する。特に一種の液晶表示パネルの多重gamma駆動方法に係る。
【背景技術】
【０００２】
液晶ディスプレー(liquid crystal display,LCD)液晶分子の光透過率(transmittance)はその上の電圧函数に加えられる。例えば、公知のVA(vertical alignment)形式のLCDにおいて、その液晶分子の光透過率は加圧電圧のいわゆるV-T曲線に相対する(図１参照)。また公知のTN(twist nemanic)形式のLCDでは、液晶分子のV-T曲線は図２に示す通りである(図中のVTHは液晶分子の臨界操作電圧を表す) 。図に示すように、液晶分子の光透過率の加圧電圧に対する函数は非リニア性である。つまり液晶分子に２倍の電圧を加えても、液晶分子の光透過率は２倍にはならない(或いは半分になってしまう)。  
【０００３】
そのため、現在業界で広く使用されている一般のLCDに対する駆動方法は、その加圧電圧の非リニア性関係を利用し、人の目の輝度変化に対する区別能力の視覚特性に符合させるものである。
公知のLCDパネル駆動システムの表示図である図３に示すように、公知のディスプレーパネル駆動システム１０はタイミングコントローラー回路１１、ソース極駆動回路モジュール１２、ゲート極駆動回路モジュール１３を備える。
該タイミングコントローラー回路１１はタイミングコントローラー１１１とgamma校正回路１１２を備える。
該ソース極駆動回路モジュール１２は数個のソース極ドライバー１２１を備え、該ゲート極駆動回路モジュール１３は数個のゲート極ドライバー１３１を備える。該ソース極ドライバー１２１とゲート極ドライバー１３１はそれぞれLCDパネル１４の上方と左方に設置し、それぞれ該LCDパネル１４のデータ線とゲート極線を駆動し、影像信号を提供する。
画面画素のグレースケール値を該タイミングコントローラー回路１１に入力し、電圧に転換し、該ソース極駆動回路モジュール１２を経由して該LCDパネル１４の液晶分子に加える過程において、この種の公知のgamma校正回路はいわゆるgamma校正曲線を定義し、これにより画素の入力グレースケール値は液晶分子に対して適当な加圧電圧に転換される。
公知のVA形式LCDのgamma校正曲線は図４に示し、公知のTN形式LCDのgamma校正曲線を図５に示す(図中のVcomは液晶分子の参考電圧を表す)。
図４を例として説明する。ある入力されたグレースケール値に対して、もし液晶分子に正極性の転換を生じさせようとする時には、gamma校正回路はVcom上方の校正曲線に応じて該入力グレースケール値を適当な加圧電圧に転換する。反対に、もし液晶分子に負極性の転換を生じさせようとする時には、gamma校正回路はVcom下方の校正曲線に応じて該入力グレースケール値を適当な加圧電圧に転換する。以上の校正を経たVA或いはTN形式のLCDにおける液晶分子の光透過率の入力グレースケール値関係は図６に示す。
【０００４】
しかし、図６に示す曲線は、異なる状況では人の目に最適な特性を必ず発揮するものではないため、上記公知のLCDの影像校正方法には確かに実効はあるが、画面影像(動態或いは静態)及び画面特性に対して動態調整ができないという大きな欠点がある。よって輝度と影像品質の両方を兼ね備えた効果を達成及び完全に改善することはできない。
【発明の開示】
【発明が解決しようとする課題】
【０００５】
本発明は主に前記のような公知のLCDのgamma校正欠点を改善するため、画面周波数昇級(frame rate conversion)を利用し多重gamma駆動方法を提供し、LCD動態画面品質を改善し、LCD彩度と色レベルの表示を増加させる。
【０００６】
本発明は主に全く新しいLCDパネル駆動システムを提供し、そのステップは以下を含み、
(1)画面周波数をp/q倍(p、qは自然数で、かつp>ｑ)に昇級し、一連の出力画面を生じ、
(2)該一連の出力画面をグレースケール値の対応により転換し、異なる出力画面に応じて異なるgamma値を提供し、
(3)適当な走査方法により、該グレースケール値対応転換処理を経過した該一連の出力画面を、適当なgamma校正曲線に基づき、画素転換後のグレースケール値を対応する加圧電圧に転換し、液晶パネルに走査出力し、
内、本発明は２種のグレースケール値対応曲線により画面周波数昇級後の該一連の出力画面に交替で使用し、しかも相互に隣接する２つの出力画面のグレースケール値曲線は同一或いは非同一で、
さらに本発明の別種の実施例は、ステップ(2)の前に先ず動静態画面の判断を行い、もし動態画面であるなら、前記と同様の処理を続け、
もし静態画面であるなら、２種のグレースケール値対応曲線を同一或いは近似の曲線とし処理することを特徴とする液晶表示パネルの多重gamma駆動方法である。
【課題を解決するための手段】
【０００７】
請求項１の発明は、一種液晶表示パネルの多重gamma駆動方法主に以下のステップを含み、
ある一連の入力画面周波数をp/q倍(p、qは自然数で、かつp>ｑ)に昇級し、一連の出力画面を生じ、
該一連の出力画面の画素グレースケール値を対応転換処理し、
適当な走査方式により、該グレースケール値対応転換処理を経過した該一連の出力画面を、適当なgamma校正曲線に基づき、画素転換後のグレースケール値を対応する加圧電圧に転換し、液晶パネルに走査出力し、
該グレースケール値対応転換処理は第１gammaグレースケール値対応曲線と第２gammaグレースケール値対応曲線で、適当な方式により交替し画面周波数昇級後の該一連の出力画面に使用することを特徴とする液晶表示パネルの多重gamma駆動方法としている。
請求項２の発明は、請求項１記載の液晶表示パネルの多重gamma駆動方法において、前記第１、第２gammaグレースケール値対応曲線の少なくとも一つは調整可能であることを特徴とする液晶表示パネルの多重gamma駆動方法としている。
請求項３の発明は、請求項１記載の液晶表示パネルの多重gamma駆動方法において、前記gamma校正曲線は調整可能であることを特徴とする液晶表示パネルの多重gamma駆動方法としている。
請求項４の発明は、請求項１記載の液晶表示パネルの多重gamma駆動方法において、前記適当交替方式は画面周波数昇級後の該一連の出力画面中、任意の相互に隣接する２つの出力画面に対して、内一つ画面のすべての画素は該gammaグレースケール値対応曲線を使用し処理し、別画面のすべての画素は該第２gammaグレースケール値対応曲線を使用し処理することを特徴とする液晶表示パネルの多重gamma駆動方法としている。
請求項５の発明は、請求項１記載の液晶表示パネルの多重gamma駆動方法において、前記適当交替方式は画面周波数昇級後の該一連の出力画面に対して、該第１、第２gammaグレースケール値対応曲線のある一つの処理により少なくとも連続で画面を出力後、別のグレースケール値対応曲線に替え処理後に少なくとも連続で画面を出力することを特徴とする液晶表示パネルの多重gamma駆動方法としている。
請求項６の発明は、請求項１記載の液晶表示パネルの多重gamma駆動方法において、前記適当交替方式は画面周波数昇級後の該一連の出力画面中、任意の相互に隣接する２つの出力画面に対して、一つ前の出力画面のある画素の画面データは該第１、第２gammaグレースケール値対応曲線の一つにより処理され、
次の一つ出力画面の該画素の画面データは別のgammaグレースケール値対応曲線により処理されることを特徴とする液晶表示パネルの多重gamma駆動方法としている。
請求項７の発明は、請求項１記載の液晶表示パネルの多重gamma駆動方法において、前記適当交替方式は画面を少なくとも水平に第一区と第二区に区画し、
画面周波数昇級後の該一連の出力画面中、任意の相互に隣接する２つの出力画面に対して、一つ前の出力画面の該第一区と次の出力画面の該第二区は、適当な画面データを該第１、第２gammaグレースケール値対応曲線の一つにより処理し生じ、
一つ前の出力画面の該第２区と次の出力画面の該第２区は適当な画面データを別のグレースケール値対応曲線により処理し生じることを特徴とする液晶表示パネルの多重gamma駆動方法としている。
請求項８の発明は、請求項４或いは請求項５或いは請求項６或いは請求項７記載の液晶表示パネルの多重gamma駆動方法において、前記走査方式は一つ前の出力画面が完全に走査出力された後、次の出力画面を完全に走査出力することを特徴とする液晶表示パネルの多重gamma駆動方法としている。
【０００８】
請求項９の発明は、一種の液晶表示パネルの多重gamma駆動方法は主に以下のステップを含み、
ある一連の入力画面周波数をp/q倍(p、qは自然数で、かつp>ｑ)に昇級し、一連の出力画面を生じ、
該一連の出力画面中のどれが静態画面でどれが動態画面であるかを判断し、
該判断結果に基づき、該一連の出力画面の画素グレースケール値を対応転換処理に提供し、
適当な走査方式により、該グレースケール値対応転換処理を経過した該一連の出力画面を、適当なgamma校正曲線に基づき、画素転換後のグレースケール値を対応する加圧電圧に転換し、液晶パネルに走査出力し、
該グレースケール値対応転換処理は第１gammaグレースケール値対応曲線と第２gammaグレースケール値対応曲線で、適当な方式により交替し画面周波数昇級後の該一連の出力画面に使用し、もし出力画面が静態であるなら、該第１gammaグレースケール値対応曲線と該第２gammaグレースケール値対応曲線は同一の曲線を採用することを特徴とする液晶表示パネルの多重gamma駆動方法としている。
請求項１０の発明は、請求項９記載の液晶表示パネルの多重gamma駆動方法において、前記第１、第２gammaグレースケール値対応曲線の内、少なくとも一つは調整可能であることを特徴とする液晶表示パネルの多重gamma駆動方法としている。
請求項１１の発明は、請求項９記載の液晶表示パネルの多重gamma駆動方法において、前記gamma校正曲線は調整可能であることを特徴とする液晶表示パネルの多重gamma駆動方法としている。
請求項１２の発明は、請求項９記載の液晶表示パネルの多重gamma駆動方法において、前記適当交替方式は画面周波数昇級後の該一連の出力画面中、任意の相互に隣接する２つの出力画面に対して、内一つ画面のすべての画素は該gammaグレースケール値対応曲線を使用し処理し、別画面のすべての画素は該第２gammaグレースケール値対応曲線を使用し処理することを特徴とする液晶表示パネルの多重gamma駆動方法としている。
請求項１３の発明は、請求項９記載の液晶表示パネルの多重gamma駆動方法において、前記適当交替方式は画面周波数昇級後の該一連の出力画面に対して、該第１、第２gammaグレースケール値対応曲線のある一つの処理により少なくとも連続で画面を出力後、別のグレースケール値対応曲線に替え処理後に少なくとも連続で画面を出力することを特徴とする液晶表示パネルの多重gamma駆動方法としている。
請求項１４の発明は、請求項９記載の液晶表示パネルの多重gamma駆動方法において、前記適当交替方式は画面周波数昇級後の該一連の出力画面中、任意の相互に隣接する２つの出力画面に対して、一つ前の出力画面のある画素の画面データは該第１、第２gammaグレースケール値対応曲線の一つにより処理され、
次の一つ出力画面の該画素の画面データは別のgammaグレースケール値対応曲線により処理されることを特徴とする液晶表示パネルの多重gamma駆動方法としている。
請求項１５の発明は、請求項９記載の液晶表示パネルの多重gamma駆動方法において、前記適当交替方式は画面を少なくとも水平に第一区と第二区に区画し、
画面周波数昇級後の該一連の出力画面中、任意の相互に隣接する２つの出力画面に対して、一つ前の出力画面の該第一区と次の出力画面の該第二区は、適当な画面データを該第１、第２gammaグレースケール値対応曲線の一つにより処理し生じ、
一つ前の出力画面の該第２区と次の出力画面の該第２区は適当な画面データを別のグレースケール値対応曲線により処理し生じることを特徴とする液晶表示パネルの多重gamma駆動方法としている。
請求項１６の発明は、請求項１２或いは請求項１３或いは請求項１４或いは請求項１５記載の液晶表示パネルの多重gamma駆動方法において、前記走査方式は一つ前の出力画面が完全に走査出力された後、次の出力画面を完全に走査出力することを特徴とする液晶表示パネルの多重gamma駆動方法としている。
【発明の効果】
【０００９】
本発明は画面周波数昇級を利用し多重gamma駆動方法を提供し、LCD動態画面品質を改善し、LCD彩度と色レベルの表示を増加させることができる。
【発明を実施するための最良の形態】
【００１０】
本発明は画面周波数昇級を利用し提供する多重gamma駆動方法を提出する。
本発明実施例のLCDパネルのタイミングコントローラー回路表示図である図７に示すように、図３に示す公知のタイミングコントローラー回路１１と比較し、本発明のタイミングコントローラー回路は基本的に入力インターフェース１１０と該タイミングコントローラー(timing controller)１１１間に画面周波数昇級回路モジュールと多重gamma駆動回路モジュールを直列する。
該画面周波数昇級回路モジュールは画面周波数昇級回路１１３と画面メモリ１１４を含み、該多重gamma回路モジュールは多重gamma駆動回路とを含む。
該画面周波数昇級回路モジュールにより、本発明は先ず該タイミングコントローラー回路１１に入力した画面周波数(通常は６０Hz)をp/q倍(p、qは自然数で、かつp>ｑ)に上げる。図８、９は、該画面速度昇級回路１１３の入出力画面のあり得る２種の状況を示す。図８中では、出力画面の周波数は２倍の１２０Hzに拡大される(p=２、q=1)。図９中では、出力画面の周波数は１．５倍の９０Hzに拡大される(p=３、q=２)。
但しここでいう、画面周波数昇級の方法は本発明の請求項ではなく、類似の技術は既に多く公開されている。最もよく採用されているのは、画面周波数２倍(１２０Hz)を利用し、さらに加速電圧を加える方式により液晶の反応速度を改善するものである。よって、本説明書は画面周波数を昇級させる方法についてはこれ以上は詳述せず、また特別にある種の特定の加速方法或いは加速倍率に限定し使用することはない。
【００１１】
図８、９に示すように、画面周波数の昇級により、出力画面は入力画面より画面数が多くなり、これら多く現れる画面に対して、しばしば採用される方法は、ある出力画面を重複するものである。例えば図７、８、９に示すように、各出力画面を１度重複し、また図９の画面N-1とN+1はそれぞれ１度重複される。他にも多くのこれら画面を多く出力する方法がある。例えば挿黒、或いはある演算方法を運用し生じるものである。
異なる周波数の昇級は異なる余分の画面の発生方式となり、しかも図８、９中の重複方式は例に過ぎず、該周波数昇級において例示する重複だけが可能とするものではない。
【００１２】
再び図７に示すように、本発明は主に多重gamma駆動回路モジュール転換(mapping)によりgamma１及びgamma２値及びその対応する曲線を生じる点である。この種の多重gamma駆動の実施例過程は図１０に示す。本実施例中では、該各１個の出力画面を１度重複するため、この２個の出力画面は以下に第１出力画面と第２出力画面とする。
本実施例では先ず、多重gamma駆動回路１１５により第１、２出力画面に対してそれぞれ２種の異なるgamma値、すなわちgamma１とgamma２を提供し(それが対応する曲線はgamma１曲線、gamma２曲線とする)、その画素のグレースケール値は最初の数値から転換(mapping)し、対応の、校正後のグレースケール値となる。
但し、図１０に示すgamma１、gamma２曲線は例示に過ぎず、しかも非常に異なる曲線を特別に用い、本発明が対応可能な出力画面の発生方式の適切なgamma１、gamma２曲線を表している(例えば、本例中のgamma２曲線は第２出力画面に対して挿黒の方式を採用し生まれる)。しかも、該gammaROM１１６(図７参照)内には異なる対照表(look-up table,LUT)を保存するため、gamma１、gamma２曲線は図中の長点線、実線、短点線などの異なる対応方式とすることができる。
【００１３】
適当なgamma１、gamma２値が発生する曲線を選択し、例えば図(A)の点線１、図(B)の点線１’を利用し、出力画面に対して転換を行った後、人の目の積分を経た後のその加えた視覚効果は図(C)の曲線Ｘと同等となる(同じ理由で、図(A)の点線２、図(B)の点線２’を加えた資格効果も図(C)の曲線Ｙと同等となり、図(A)の点線３、図(B)の点線３’を加えた資格効果も図(C)の曲線Ｚと同等となる)。
続いて、本実施例中において、多重gamma駆動回路１１５が処理後の出力画面はさらにgamma校正回路(gamma reference voltage)１１２を経て、再度のgamma校正を行う。本実施例中のgamma校正回路１１２と公知のgamma校正回路は同様にある固定のgamma校正曲線を提供する(図１０中の曲線と図４の曲線参照)。最後に、前記過程を経て、LCDパネルが達成するgamma校正曲線は図１０中の図(E)曲線である(内、Ｘ’、Ｙ’、Ｚ’曲線はそれぞれ図(C)のＸ、Ｙ、Ｚ曲線がさらに図(D)転換を経た後にLCDパネルから現れる結果である)。
【００１４】
上記のように、本実施例の特徴は適当なgamma１、gamma２値を用い、２個のグレースケール値の対応曲線を提供し、画面周波数昇級後の出力画面との交替を実施し、続いて公知のgamma校正回路を対応させ、LCDパネルが達成するgamma校正曲線を調整する。画面周波数昇級に対して、ちょうど２倍の状況ではなく、図９下方に記載する判例と範例２を参照することができる。図９は１．５倍昇級の状況を示し、範例２は上記例と同様にgamma１、gamma２の２種の曲線を交替で採用し、出力画面のグレースケール値に対して転換を行う。範例１はある出力画面重複使用gamma１曲線である。
つまり本発明の２種のグレースケール値対応曲線を、画面周波数昇級後の一連の出力画面に交替で使用し、しかも２つの相互に隣接する出力画面のグレースケール値曲線は同一で(範例１参照)、或いは異なり(範例２参照)、その組合せ方式は非常に多くの種類があり得る。
【００１５】
この種の多重gamma駆動方式の別実施例過程は図１１に示すとおりである。本実施例では、多重gamma駆動回路は第１、２出力画面に対してそれぞれ固定のgamma１、gamma２の２種の異なるgamma値対応曲線(図(A)と図(B)参照)により、その画素のグレースケール値を最初の数値から対応するグレースケール値に転換する。同様に、図１１中のgamma１、gamma２曲線は例示に過ぎない。適当なgamma１、gamma２曲線を選択し、第１、２出力画面に対して転換を行った後、その加算の効果は図(C)の同等効果曲線Ｘの示す通りである。
続いて、本実施例では多順gamma駆動回路処理後の出力画面はさらにgamma校正回路を経由し、再度gamma校正を行う。本実施例中のgamma校正回路のgamma校正曲線は調整可能である(図(D)中の長点線Ｒ、実線Ｓ、短点線Ｔ参照)。調整の方式は、異なるLUTを採用することができる(gamma校正回路のROMは図７中に図示なし)。
最後に、前記の多重駆動と校正過程を経て、LCDパネルが達成するgamma校正曲線は図１１の図(E)の曲線に示す(内、Ｒ’、Ｓ’、Ｔ’曲線はそれぞれ図(C)のX曲線が、さらに図(D)の曲線Ｒ、Ｓ、Ｔを経過し転換後、LCDパネルから表示される結果である)。
上記のように、一つ前の実施例の多重gamma駆動回路が提供するグレースケール値対応は、調整可能で、そのgamma校正回路は固定である。
反対に、本実施例の多重gamma駆動回路が提供するグレースケール値対応は固定で、そのgamma校正回路は調整可能である。
この２種の実施例が達成可能な効果(LCDパネルのgamma校正曲線)は同一である。
【００１６】
図１０、１１が示す２種の実施例は、動態影像に対して同時に輝度と影像品質の改善を達成することができるが、静態影像に対しては、もしgamma１、gamma２曲線の差が非常に大きい時には、点滅の状況が発生する可能性がある。
このため、本発明のさらに別種の実施例のLCDパネルタイミングコントローラー回路表示図である図１２に示すように、図７に示すタイミングコントローラー回路１１に比較し、本実施例のタイミングコントローラー回路の実施は基本的には、多重gamma駆動回路の前に動静態影像判別回路１１７を増設する。
本実施例では、先ず該動静態影像判別回路１１７により、出力画面が動態に属するか静態に属するかを判断する。もし動態影像であるなら、続く処理方式は図１０、或いは１１の２種状況の内の一つである。しかし、もし判断の結果が生態影像であるなら、図１３に示すように、点滅を防ぐため、多重gamma駆動回路が提供するgamma１、gamma２の２個の曲線は、完全に同一或いは近似し(図(A)と図(B)の曲線１と１’、２と２’、３と３’)、しかも動態影像を処理する時に加算した効果が同一の曲線とすることができる(図１０の図(Ｃ)参照)。
本実施例中のgamma校正回路が提供する校正曲線は固定(図１０参照)、或いは調整(図１１参照)可能である。本実施例は前者を採用する(図１３と図１０の図(D)参照)。
【００１７】
前記の数種の実施例中では、第１、２出力画面はタイミングコントローラー１１１を経由し、LCDパネル１４に走査出力する方式は、多くの種類の方式が可能である。内、図１４は最もよく見られる方式である。
以下に、図８のタイミング図に同時に示すように、第１出力画面がN-1である時(図８の画面(１))、画面N-1の画面データはgamma１(及びgamma校正回路)を経過し調整後、さらに完全に走査出力される。続いて、第２出力画面がN-1である時(図８の画面(２))、画面N-1の画面データはgamma２(及びgamma校正回路)を経過し調整後、さらに完全に走査出力される。さらに、出力走査画面N、N+1などの時の処理方式も、これに準じる。
【００１８】
図１５には別の起こり得る状況を示す。以下は図８のタイミング図に合わせて示すように、最初から最後まで出力走査画面(３)である時、画面の画素列は重ならない第１、第２の上下２つの区に区分される。第１区の画素列が走査出力される時、画面Ｎに画面データが提供される。しかも、これらデータはgamma１(及びgamma校正回路)により調整済みのものである。
第２区の画素列が走査出力される時、一つ前の画面Ｎ-１に画面データが提供される。しかも、これらデータはgamma２(及びgamma校正回路)により調整済みのものである。経過全体は図１５の図(A)から図(D)の過程に示す通りである。
最初から最後まで出力走査画面(４)である時、同様に画面は２つの区に区分される。第１区の画素列が走査出力される時、次の画面Ｎ＋１に画面データが提供される。しかも、これらデータはgamma２(及びgamma校正回路)により調整済みのものである。
第２区の画素列が走査出力される時、画面Ｎに画面データが提供される。しかも、これらデータはgamma１(及びgamma校正回路)により調整済みのものである。経過全体は図１５の図(E)から図(H)の過程に示す通りである。
つまり、前記の走査出力方式は、画面を走査出力する時、画面を少なくとも２区に分割し、しかも該２区内のすべての画素列は、それぞれgamma１、gamma２曲線を用い転換処理される。続いて、さらにgamma２、gamma１曲線を用い転換処理され、これと同様に、２区間においてgamma１、gamma２曲線は絶えず交替で使用される。よって、ある１区のある画素列について言えば、それは先ずgamma１曲線転換処理を経由し、次にgamma２曲線転換処理を経由し、さらにgamma１曲線転換処理を経由するなどし、絶えず交替する。
【００１９】
以上はすべてテンポラル(temporal)方式を採用し表示する。
図１６は、３種空間(spatial)工作の方式を示す。図に示すように、A、B、C３種の方式は、ある画素について言えば、1/160秒の第１走査出力時に、そのグレースケール値はgamma１曲線を経過し調整済みのものである。続いて第２走査出力時には、そのグレースケール値はgamma２曲線を経過し調整済みのものである。
或いは反対にすることも可能で、つまり先ずgamma２曲線を経過し調整済みのグレースケール値を出力し、次にgamma１曲線を経過し調整済みのグレースケール値を出力することができる。
図中のA、B、C３種方式の各１個の画素はすべてこのように処理されるが、その差異は排列の方式の違いだけである。Aの方式では、同一の走査画面の画素と相互に隣接する画素は異なるグレースケール値曲線を採用し調整する。Bの方式では、同一走査画面の同一列の画素と相互に隣接する列の画素は異なるグレースケール値曲線を採用し調整する。
他にも非常に多くの種類の排列方式を選択可能である。空間交錯方式を採用する場合の長所は、視角(viewing angle)を拡大可能な点である。
【図面の簡単な説明】
【００２０】
【図１】VA形式のLCD液晶分子光透過率が相対する加圧電圧のV-T曲線図である。
【図２】TN形式のLCD液晶分子光透過率が相対する加圧電圧のV-T曲線図である。
【図３】公知のLCDパネル駆動システムの表示図である。
【図４】公知のVA形式LCDのgamma曲線図である。
【図５】公知のTN形式LCDのgamma曲線図である。
【図６】公知のLCD液晶分子光透過率が相対する入力グレースケール値の曲線図である。
【図７】本発明実施例のLCDパネルのタイミングコントローラー回路表示図である。
【図８】本発明の画面周波数を２倍に上げた入出力画面のタイミング対照表である。
【図９】本発明の画面周波数を１．５倍に上げた入出力画面のタイミング対照表である。
【図１０】本発明実施例の多重gamma駆動過程の表示図である。
【図１１】本発明の別実施例の多重gamma駆動過程表示図である。
【図１２】本発明の動静態影像を区別する実施例のLCDパネルのタイミングコントローラー回路表示図である。
【図１３】本発明の動静態影像を区別する実施例の多重gamma駆動過程の表示図である。
【図１４】本発明実施例がテンポラル方式を採用し出力画面を走査する表示図である。
【図１５】本発明別種の実施例がテンポラル方式を採用し出力画面を走査する表示図である。
【図１６】本発明の数種の実施例が空間交錯方式を採用し出力画面を走査する表示図である。
【符号の説明】
【００２１】
１、２、３  曲線
１’、２’、３’  曲線
１０  パネル駆動システム
１１  タイミングコントローラー回路
１２  ソース極駆動回路モジュール
１３  ゲート極駆動回路モジュール
１４  LCDパネル
１１０  入力インターフェース
１１１  タイミングコントローラー
１１２  gamma校正回路
１１３  画面周波数昇級回路
１１４  画面メモリ
１１５  多重gamma駆動回路
１１６  gammaROM
１１７  動静態影像判別回路
１２１  ソース極ドライバー
１３１  ゲート極ドライバー
Ｘ、Ｙ、Ｚ  曲線
Ｘ’、Ｙ’、Ｚ’  曲線
Ｒ、Ｓ、Ｔ  曲線
Ｒ’、Ｓ’、Ｔ’  曲線
【図１】
2008139591.tif 000003
【図２】
2008139591.tif 000004
【図３】
2008139591.tif 000005
【図４】
2008139591.tif 000006
【図５】
2008139591.tif 000007
【図６】
2008139591.tif 000008
【図７】
2008139591.tif 000009
【図８】
2008139591.tif 000010
【図９】
2008139591.tif 000011
【図１０】
2008139591.tif 000012
【図１１】
2008139591.tif 000013
【図１２】
2008139591.tif 000014
【図１３】
2008139591.tif 000015
【図１４】
2008139591.tif 000016
【図１５】
2008139591.tif 000017
【図１６】
2008139591.tif 000018